(57)【要約】【課題】弾性袋による泡ポンプを開示する。【解決手段】ボトルカバー（１）、弾性袋（２）、ピストン棒（３）、ピストン（４）、液体進入一方向弁（６）、ガス進入一方向弁（８）を含み、弾性袋（２）は、口部に、前記ボトルカバー（１）の接続用の環状壁（１．１）に密封して取り付けられた接続部（２．１）がある中空の薄壁袋であり、ボトルカバー（１）の進入孔（１．８）に連通する進入管（２．４）を有し、前記進入孔（１．８）の一側に前記ガス進入一方向弁（８）が取り付けられ、前記ピストン棒の上端（３．１）が弾性袋（２）の上壁接続部（２．３）に固定され、ピストン棒（３）下端に前記ピストン（４）が取り付けられ、前記ボトルカバー（１）の中央にシリンダ（１．２）が設けられる弾性袋による泡ポンプ。本発明は、構造が簡単で、コストが低く、便利に使用できる。【選択図】図１
2017015086.tif 000002
【特許請求の範囲】
【請求項１】
ボトルカバー（１）、弾性袋（２）、ピストン棒（３）、ピストン（４）、液体進入一方向弁（６）、ガス進入一方向弁（８）を含み、弾性袋（２）は、口部に、前記ボトルカバー（１）の接続用の環状壁（１．１）に密封して取り付けられた接続部（２．１）がある中空の薄壁袋であり、ボトルカバー（１）の進入孔（１．８）に連通する進入管（２．４）を有し、前記進入孔（１．８）の一側に前記ガス進入一方向弁（８）が取り付けられ、弾性袋及びボトルカバーが弾性袋空気ポンプの主体を構成し、ピストン棒（３）、ピストン（４）及びボトルカバーのシリンダが液体ピストンポンプの主体を構成し、
ピストン棒の上端（３．１）が弾性袋（２）の上壁接続部（２．３）に固定され、ピストン棒（３）の下端に前記ピストン（４）が取り付けられ、前記ボトルカバー（１）の中央にシリンダ（１．２）が設けられ、シリンダ（１．２）の底部に管口（１．３）が設けられ、管口（１．３）は、上端に前記液体進入一方向弁（６）が取り付けられ、下端に外部のローションボトルに伸ばすためのガイドパイプ（７）が接続され、前記ピストン棒（３）がピストン４と連接して共に前記シリンダ（１．２）内に伸入し、ピストン（４）の外壁がシリンダ（１．２）の内壁に対して動的に密封され、前記弾性袋による泡ポンプは、更に、液体及び空気の出口混合通路を有することを特徴とする弾性袋による泡ポンプ。
【請求項２】
前記ボトルカバー（１）におけるシリンダ（１．２）の上端の外側に小環状壁から囲まれた貯蔵タンク（１．４）が設けられ、前記貯蔵タンク（１．４）がフォームタンク（１．６）を介してボトルカバー出口（１．７）に接続され、貯蔵タンク（１．４）とフォームタンク（１．６）との間に溢出口（１．５）が設けられ、フォームタンク（１．６）に泡立網（９）が設けられ、貯蔵タンク（１．４）及びフォームタンク（１．６）に貯蔵タンクカバー（５）がカバーされ、前記貯蔵タンクカバー（５）は、弾性体であり、貯蔵タンク及びフォームタンクの外壁に固定し密封されることに用いられ、その内に溢出口（１．５）に対向する第１のヒンジ（５．１）が設けられ、出口一方向弁になり、前記貯蔵タンクカバー（５）にピストン棒（３）を貫通させるための円状孔（５．２）が設けられ、円状孔（５．２）とピストン棒（３）との間に形成された環状隙間が弾性袋（２）の空気通路となり、前記ピストン（４）の上端に液体出口一方向弁（４．１）が付き、前記ピストン棒（３）の側壁に、液体を貫通させて貯蔵タンク（１．４）に流れさせるための出口孔（３．２）があり、貯蔵タンク（１．４）及びフォームタンク（１．６）と貯蔵タンクカバー（５）との間の空間は、泡沫を弾性袋（２）の下側壁のノズル（２．２）に出力するための、前記液体及び空気の出口混合通路である請求項1に記載の弾性袋による泡ポンプ。
【請求項３】
前記ピストン棒（３）は、上端口が前記弾性袋（２）の上壁接続部（２．３）に固定され、上端に液体出口（３．３）を有し、弾性袋（２）の上壁接続部（２．３）がガス出口（２．５）を有し、前記上壁接続部（２．３）内に出口一方向弁（１１）が取り付けられ、前記上壁接続部（２．３）の上端のスプレーヘッドインタフェース（１０．１）にスプレーヘッド（１０）が密封するように接続され、スプレーヘッド（１０）の一側に、一端がスプレーヘッド（１０）のノズル（２．２）に伸ばした泡立網（９）が設けられ、前記出口混合通路がスプレーヘッド（１０）のノズル（２．２）の出口に開けられ、前記の弾性袋は、螺旋状の厚壁及び薄壁により囲まれてなり、又は金属ばね及び袋体から一体的に射出成形される請求項1に記載の弾性袋による泡ポンプ。
【請求項４】
前記の液体ピストンポンプは2組であり、それぞれボトルカバー（１）の２つのシリンダ（１．２）に配置され、それぞれ上壁接続部（２．３）に設けられた２つの液体出口及び１つ弾性袋ガス出口が配置され、前記上壁接続部（２．３）内に１つの出口一方向弁（１１）が取り付けられる請求項３に記載の弾性袋による泡ポンプ。
【請求項５】
前記ボトルカバー（１）にシールリング（１２）が設けられ、前記シールリング（１２）にボトルカバー（１）の釣合い穴（１．９）に対向する第２のヒンジ（１２．１）がある請求項１〜４の何れか1項に記載の弾性袋による泡ポンプ。
【発明の詳細な説明】
【技術分野】
【０００１】
本発明は、日用品に関し、特に、台所やバスルームで泡状の洗浄液を抽出し又は髪型の定型（ムース）、シェービングフォーム、染髪用の弾性袋による泡ポンプに関する。
【背景技術】
【０００２】
従来の泡ポンプは、ピストンポンプ構造に属し、ガスピストン及び液体ピストンがボトルカバーに同軸的に取り付けられる。一般的に市販されるものとしては、ガイドパイプ及びスプレーヘッドが配置されたものがあり、構造が複雑である。
【０００３】
泡ポンプの欠点について、中国の数多くの実用新案には、泡ポンプを最適化し改善したが、構造が依然として複雑であり、組み立てには殆ど１０〜１２個の部品が必要である。また、一部の部品が小さく、モールドが精密であり、更にガスピストンが依然としてボトルカバー内に取り付けるため、十分なガス量を取得するには、依然として大直径のボトルネック及びボトルカバーが必要である。
【０００４】
例えば、市販のものとしては、ガスピストンポンプのピストンの外径が３１ｍｍで、アウターボトルカバーの直径が４６．６ｍｍである泡ポンプがある。その実際な有効操作範囲が１５ｍｍであり、ボトルカバーにおける２つの積み重ねたピストンポンプに混合パイプを加えて、更にスプレーヘッドを接すると、その高さが合計で１２５ｍｍになる。この構造の泡ポンプでは、通常の３ｍｌのローションボトルの３２ｍｍのボトルネックに取り付けられない。
【０００５】
公開第ＣＮ２０２６２４９０１号の中国実用新案には、エアシリンダのピストンとしてＯリングを利用し、エアシリンダがボトルカバーに取り付けられるため、直径３１ｍｍのピストンを配置（通常のバスポンプのボトルカバーの外径は３４ｍｍである）するように、小さいボトルカバーを使用することができる泡ポンプが公開されている。しかしながら、この泡ポンプには釣合い穴の構成がないため、泡ポンプは、ボルト内の負圧により持続的に使用できなくなり、また、そのエアシリンダが吸気する場合に空気が如何に入るかが不明である。さらに重要なのは、この泡ポンプは、構造も非常に複雑であり、カバー、シールリング及びガイドパイプ以外にも、各部品が合計で１７個である。
【０００６】
また例えば、市販のあるフォームくし（ｆｏａｍ ｃｏｍｂ）は、２つの圧力タンクによって染毛剤で泡を立たせるため、コストが高く環境にもやさしくない。また、酸化されたローションを搾り出し式ボトルに注入して、混合させて押し出して泡沫を生成させてから、くしに塗布するため、使用には不便である。
【発明の概要】
【発明が解決しようとする課題】
【０００７】
従来技術の不足を解決するために、本発明の目的は、構造が簡単で、コストが低く、便利に使用する弾性袋による泡ポンプを提供することにある。
【課題を解決するための手段】
【０００８】
本発明の目的は、下記技術案によって達成される。
【０００９】
弾性袋は、弾性袋空気ポンプ及び液体ピストンポンプを備え、ボトルカバー、弾性袋、ピストン棒、ピストン、液体進入一方向弁を含む。前記弾性袋は、好ましくは下へ縮まって変形する中空の薄壁袋であり、弾性袋空気ポンプを構成することに用いられる。液体ピストンポンプは、通常の構造である。前記弾性袋は、口部に、ボトルカバーの対応する上壁接続部に密封して取り付けられた接続部材があり、弾性袋に、前記ボトルカバーの進口にぴったり沿う弾性袋進入孔が設けられる。ボトルカバー進入孔の一側にガス進入一方向弁が取り付けられる。弾性袋の側壁に前記ボトルカバーの出口孔にぴったり沿うノズルがあり、ボトルカバーの中央にシリンダがある。シリンダの底部に管口があり、管口に液体進入一方向弁が取り付けられ、管口の下に更にローションボトルに伸ばしたガイドパイプが接続される。液体ピストンポンプは、ピストン棒及びピストンを含み、ピストン棒は、上端が上壁接続部に固定され、下端にピストンが取り付けられる。好ましくは、ピストンをＯリングにする。ピストンの中部にピストン棒口に伸ばした十字ヒンジが付き、出口一方向弁となる。ピストン棒は、ピストンと共にボトルカバーのシリンダ内に伸ばす。ピストンの円外壁がシリンダに対して動的に密封される。ピストン棒の側壁に出口孔がある。
【００１０】
前記ボトルカバーにおけるシリンダの上端の外側に小環状壁から囲まれた貯蔵タンクがある。溢出口が更にボトルカバー出口との間のフォームタンクに接続される。フォームタンクにスポンジの泡立網（濾過網ともいう）がある。貯蔵タンクに貯蔵タンクカバーがある。貯蔵タンクカバーに、ガスの出口通路である円状孔がある。弾性袋を押すと、ピストン棒が下へ行き、液体が出口一方向弁を介して、ピストン棒の側壁の出口孔から排出されて、ボトルカバー上の貯蔵タンクに流れ、空気も貯蔵タンクカバー口から入って、液体と共に溢出口を介してフォームタンクに入る。液体及び空気が泡立網において泡立てられ、弾性袋出口から排出される。貯蔵タンクがない場合、ピストン棒が下へ行く場合に排出された液体は、ボトルカバーの周囲に流れ、僅かの一部の液体が泡立てに役立つため、貯蔵タンク、フォームタンクと貯蔵タンクカバーとの間の部分が液体及びガスの出口混合通路になる。弾性体で製造された貯蔵タンクカバーでは、溢出口の一側に一方向ヒンジの構造があってもよい。この溢出口が弁座になる。
【００１１】
弾性袋が飛び退くと、液体進出口一方向弁、ガス進出口一方向弁が自動的にオン・オフになり、空気が弾性袋に入ると共に、ピストン棒が上へ行き、液体が液体進入一方向弁を介してシリンダ内に入る。
【００１２】
ピストンが上へ行く場合、ピストンの上方におけるピストン棒とシリンダー壁との隙間における液体は、貯蔵タンクに入る。シリンダの直径を９ｍｍ、平均隙間を０．４ｍｍ、行程を１６ｍｍとして算出すると、この液体は０．１７ｇである。この液体は、ピストン棒が下へ行く場合、ピストン棒とシリンダとの隙間に入るため、液体ピストンポンプの排液量に影響を与えない。
【００１３】
上記構造を改善してもよい。弾性袋の上端にスプレーヘッドを接続させて、１つの液体・ガス共用の出口一方向弁を配置すれば、泡沫出口が弾性袋にある泡ポンプを取得できるため、ピストン棒の環状外側壁の出口の円状孔、貯蔵タンク及び貯蔵タンクカバーの構成を取り消すことができる。
【００１４】
スプレーヘッドを押すと、弾性袋が下へ縮まると共に、ピストン棒が下へ行き、袋内のガス及びシリンダにおける液体が出口一方向弁を介してスプレーヘッド内に入って、泡立スポンジによって、互いに混合して泡が立てられ、泡沫がスプレーヘッドのノズルから排出される。泡立網は、一端がノズルに伸ばし、泡立網を固定し、泡沫の分けられる通路を増やし、泡沫をより細かくすることに用いられる。
【００１５】
中国第２０１２１０１５３０３．８号の発明特許の『往復型弾性膜ポンプ』には、金属ばねを弾性膜に入れること、又は弾性膜と共に射出成形することが提出され、この構造も本発明の弾性袋による泡ポンプの構造に好適に用いられることは明らかである。
【００１６】
上記様々な配置は、当業者であれば、予め考慮して市場の要求に応じて、合理的な設計によって解決できるものである。
【発明の効果】
【００１７】
従来の技術に比べると、本発明の有益的な効果は、下記の通りである。
【００１８】
本発明は、弾性袋を排気させるように押すと共に、ピストン棒をシリンダに対向して下へ滑らせることで、シリンダにおける液体がピストン、ピストン棒と共に出口混合通路に入って、泡立網によって泡沫に転換されて出力されるようにする。押すのを停止すると、押された弾性袋は、ピストン棒を上へ行かせるための弾性回復力を与え、液体をシリンダに入らせるように連動させ、空気がガス進入一方向弁を介して弾性袋に入る。そのため、本発明は、液体を抽出し、またガスを抽出することができ、泡立装置の泡立作用に合わせて、構造全体を大いに簡単化することができ、コストがより低くなる。更に、ボトルカバーのサイズを小さくし、本発明によれば、例えば、シャンプー、洗浄剤等の液体を入れる通常のボトルに便利に取り付けるため、使用が便利になる。
【図面の簡単な説明】
【００１９】
【図１】本発明の弾性袋による泡ポンプの実施例１の構造模式図である。
【図２】本発明の弾性袋による泡ポンプの実施例２の構造模式図である。
【図３】本発明の弾性袋による泡ポンプの実施例３の構造模式図である。
【発明を実施するための形態】
【００２０】
以下、添付図面及び発明を実施するための形態に合わせて、本発明を更に説明する
【実施例１】
【００２１】
図１を参照されたい。弾性袋による泡ポンプは、ボトルカバー１、弾性袋２、ピストン棒３、ピストン４、液体進入一方向弁６、ガス進入一方向弁８、を備える。弾性袋２は、口部に、前記ボトルカバー１の接続用の環状壁１．１に密封して取り付けられた接続部２．１がある中空の薄壁袋であり、ボトルカバー１の進入孔１．８に連通する進入管２．４を有する。この進入孔１．８の一側に前記ガス進入一方向弁８が取り付けられる。弾性袋及びボトルカバーが弾性袋空気ポンプの主体を構成し、ピストン棒３、ピストン４及びボトルカバーのシリンダが液体ピストンポンプの主体を構成する。
【００２２】
前記ピストン棒３は、上端３．１が弾性袋２の上壁接続部２．３に固定され、その下端に前記ピストン４が取り付けられる。前記ボトルカバー１の中央にシリンダ１．２が設けられ、シリンダ１．２の底部に管口１．３が設けられる。管口１．３は、上端に前記液体進入一方向弁６が取り付けられ、下端に外部のローションボトルに伸ばすためのガイドパイプ７が接続される。前記ピストン棒３がピストン４と連接して共に前記シリンダ１．２内に伸入する。ピストン４の外壁がシリンダ１．２の内壁に対して動的に密封される。前記弾性袋による泡ポンプは、更に、液体及び空気の出口混合通路を有する。
【００２３】
ボトルカバー１におけるシリンダ１．２の上端の外側に小環状壁から囲まれた貯蔵タンク１．４が設けられる。この貯蔵タンク１．４がフォームタンク１．６を介してボトルカバー出口１．７に接続され、貯蔵タンク１．４とフォームタンク１．６との間に溢出口１．５が設けられる。フォームタンク１．６に泡立網９が設けられる。貯蔵タンク１．４及びフォームタンク１．６に貯蔵タンクカバー５がカバーされる。前記貯蔵タンクカバー５は、弾性体であり、貯蔵タンク及びフォームタンクの外壁に固定し密封されることに用いられ、その内に溢出口１．５に対向する第１のヒンジ５．１が設けられ、出口一方向弁になる。前記貯蔵タンクカバー５にピストン棒３を貫通させるための円状孔５．２が設けられ、円状孔５．２とピストン棒３との間に形成された環状隙間が弾性袋２の空気通路となる。前記ピストン４の上端に液体出口一方向弁４．１が付き、前記ピストン棒３の側壁に、液体を貫通させて貯蔵タンク１．４に流れさせるための出口孔３．２がある。貯蔵タンク１．４とフォームタンク１．６と貯蔵タンクカバー５との間の空間は、泡沫を弾性袋２の下側壁のノズル２．２に出力するための、前記液体及び空気の出口混合通路である。
【００２４】
弾性袋２、ピストン棒３を下へ押すと、液体がピストン棒３の出口孔３．２、貯蔵タンク１．４を介して、入った空気と合流して溢出口１．５を流れ、第１のヒンジ５．１を押しあけてフォームタンク１．６に入って泡立て、泡沫がボトルカバー出口１．７、弾性袋の出口のノズル２．２から排出される。押すのを停止すると、弾性袋２が飛び退き、ガスが弾性袋の進入管２．４、ボトルカバー進入孔１．８を介してガス進入一方向弁８を押しあけて弾性袋２に入る。その同時に、弾性袋２は、液体が液体進入一方向弁６を介してシリンダ１．２内に吸入されるようにピストン棒３を連動させる。
【００２５】
ガス進入一方向弁８は、弾性袋進入孔の他の位置に十字ねじ回しによって直接施されてもよい。この構成の弾性体泡ポンプには、合計６つの射出成形品、４つの射出金型が必要である。
【００２６】
ボトルカバー１の下方に、シールリング１２や、ボトルカバー１の釣合い穴１．９に対向するヒンジ１２．１がある。
【００２７】
上例において、液体進入一方向弁、ガス進入一方向弁、出口一方向弁は、他のものに取り換えられてもよい。通常の泡ポンプのように、圧力板とピストン棒からなる締め金具、及びシール面付の接続形態により、ガス進入一方向弁が形成されることもできる。同様に、液体ピストン及び出口一方向弁は、同様な配置を有してもよい。これにより、別に１〜２組の射出金型が必要であるが、これでも、本弾性袋による泡ポンプの全ての部材も８つを超えない。
【実施例２】
【００２８】
図２を参照されたい。弾性袋による泡ポンプは、弾性袋空気ポンプと、液体ピストンポンプと、を備え、ボトルカバー１、弾性袋２、ピストン棒３、ピストン４、スプレーヘッド１０、ガス進入一方向弁８、液体進入一方向弁６、出口一方向弁１１を含む。前記弾性袋空気ポンプは、その弾性袋２が中空の薄壁袋であり、その口部に、前記ボトルカバー環状壁１．１に密封するように接続された接続部２．１がある。弾性袋は、前記ボトルカバーの進入孔１．８に対向する進入管２．４を有する。ボトルカバー進入孔１．８の一側にガス進入一方向弁８が取り付けられる。
【００２９】
前記液体ピストンポンプでは、ピストン棒の上端口３．１に、上壁接続部２．３に固定された液体出口３．３がある。弾性袋のガス出口２．４もこの上壁接続部２．３に開けられる。この上壁接続部２．３内に１つ又は２つの出口一方向弁１１が取り付けられる。上壁接続部２．３の上端とスプレーヘッドインタフェース１０．１とが密封するように接続される。スプレーヘッド１０の一側に、一端がスプレーヘッド１０内のノズルに伸ばす泡立網９が設けられる。前記ボトルカバーの中央にシリンダ１．２がある。シリンダの底部に管口１．３がある。管口１．３に液体進入一方向弁６が取り付けられ、管口の下方にローションボトルに伸ばしたガイドパイプ７が接続される。前記ピストン棒の下端にピストン４が取り付けられ、前記ピストン棒３、ピストン４が前記ボトルカバーのシリンダ１．２内に延伸され、ピストン４の外壁がシリンダ１．２の内壁に対して動的に密封される。
【００３０】
スプレーヘッド１０を押すと、弾性袋２が下へ縮まると共に、ピストン棒３が下へ行き、弾性袋２内のガス及びシリンダ１．２中の液体が出口一方向弁１１を介してスプレーヘッド１０内の出口混合通路に入って、泡立網（泡立スポンジ）を介して、互いに混合して泡が立てられ、泡沫がスプレーヘッド１０のノズル２．２から排出される。
【００３１】
押すのを停止すると、弾性袋２が飛び退き、ガスが弾性袋進入管２．４、ボトルカバー１の進入孔１．８を介してガス進入一方向弁８を押しあけて弾性袋２に入る。その同時に、弾性袋２は、液体が液体進入一方向弁６を介してシリンダ１．２内に吸入されるようにピストン棒３を連動させる。
【００３２】
この弾性袋による泡ポンプには、７つの射出成形品、４つの射出金型が必要である。
【００３３】
前記弾性袋２は、螺旋状の厚壁及び薄壁により囲まれてなる。
【００３４】
ボトルカバー１にシールリング１２が設けられる。このシールリング１２には、第２のボトルカバー１の釣合い穴１．９に対向するヒンジ１２．１がある。
【００３５】
１つ弾性袋ポンプに、それぞれ２つのボトル（又は２つのフレキシブルコンテナバッグ）から異なる液体を抽出する２つのピストンポンプが配置されると、染髪フォームボトルを構成することができることは明らかである。
【００３６】
下記の実施例は、弾性袋による泡ポンプにはまだ幅広い展開空間があることを説明するためのものであるが、当業者であれば、下記のような構成の弾性袋による泡ポンプを容易に設計することができる。
【実施例３】
【００３７】
図３を参照されたい。弾性袋による泡ポンプは、弾性袋空気ポンプと、弾性袋液体ポンプと、を備え、ボトルカバー１、２つの弾性袋２ａ、２ｂ、スプレーヘッド１０を含む。前記弾性袋２ａ、２ｂがそれぞれ弾性袋空気ポンプ及び弾性袋液体ポンプの主体を構成する。弾性袋２ｂが弾性袋２ａ内にあり、その上部に、それぞれ弾性袋接続部２．３に開けられたガス及び液体出口孔２．５ａ、２．５ｂがある。接続部内に１つの出口一方向弁１１が取り付けられる。前記弾性袋の上部の接続部２．３の上端がスプレーヘッド１０のインタフェース１０．１に密封するように接続され、スプレーヘッド出口の一側にスポンジの泡立網９がある。前記弾性袋２ａ、２ｂは、その口部２．１ａ、２．１ｂがそれぞれ前記ボトルカバーの小環状壁の接続部１．１ａ、１．１ｂに密封するように接続される。弾性袋２ａは、前記ボトルカバー環状壁１．１ａの進入孔１．８に対向する進入管２．４ａを有する。ボトルカバー進入孔１．８の一側にガス進入一方向弁８が取り付けられる。
【００３８】
ボトルカバーの中央にシリンダ１．２がある。シリンダの底部に管口１．３がある。管口１．３に液体進入一方向弁６が取り付けられ、管口の下にローションボトルに伸ばしたガイドパイプ７が接続される。前記弾性袋２ｂとボトルカバーの小環状壁の接続部１．１ｂとは、シリンダ１．２を独立した空間として囲む。
【００３９】
前記弾性袋２ａ、２ｂは、螺旋状の厚壁及び薄壁により囲まれてなる。
【００４０】
前記ボトルカバーは、シールリング１２や、ボトルカバーの釣合い穴１．９に対向するヒンジ１２．１を有する。
【００４１】
この弾性袋による泡ポンプには、５つの射出成形品、３つ〜４つの射出金型が必要である。
【００４２】
当業者に対しては、上記の技術案及び構想に基づいて、他の各種の対応する改善や修正を加えることもでき、全てのこれらの改善や修正も本発明の特許請求の範囲の内に属すべきである。
【符号の説明】
【００４３】
３．１ 上端
２ 弾性袋
３ ピストン棒
５．２ 円状孔
５ 貯蔵タンクカバー
５．１ ヒンジ
１．１ 環状壁
１．６ フォームタンク
９ 泡立網
２．２ ノズル
１．７ ボトルカバー出口
２．１ 接続部
１ ボトルカバー
２ シリンダ
１．３ 管口
７ ガイドパイプ
６ 液体進入一方向弁
４．１ 液体出口一方向弁
４ ピストン
１２．１ 第２のヒンジ
１２ シールリング
９ 釣合い穴
１.８ 進入孔
８ ガス進入一方向弁
２．４ 進入管
２．３ 上壁接続部
１１ 出口一方向弁
１０．１ インタフェース
１０ スプレーヘッド
３．３ 液体出口
２．５ 液体出口孔
【図１】
2017015086.tif 000003
【図２】
2017015086.tif 000004
【図３】
2017015086.tif 000005